(57)【要約】【課題】容器に巻掛け装着された包装用フィルムを簡単容易に切断して、収容物をこぼれ出すようなことなく開封することができるようにする。【解決手段】容器１への巻掛け方向の端部に容器外面への貼付け固定用の粘着部３を備え、フィルム巻掛け方向と交差する方向に横断する切断線としてのミシン目５と、このミシン目５の中間部位に連なる摘み部６とを備え、容器１へのフィルム貼付け状態において、摘み部６が容器１の端縁部分に位置するようにしている。【選択図】図２
2015009889.tif 000002
【特許請求の範囲】
【請求項１】
容器へ巻き掛けて、巻き掛け方向の端部に形成した粘着部を、前記容器外面に貼付ける包装用フィルムであって、
前記巻き掛け方向と交差する方向に延びる切断線と、該切断線の中間部位に連なる摘み部とを備え、
前記容器への貼付け状態では、前記摘み部が容器の端縁部分に位置する、
ことを特徴とする包装用フィルム。
【請求項２】
前記容器への貼付け状態では、前記摘み部が、容器上部の端縁部分に位置する、
請求項１に記載の包装用フィルム。
【請求項３】
前記切断線が、ミシン目であって、該ミシン目を山形に形成して、その頂部に前記摘み部が形成される、
請求項１または２に記載の包装用フィルム。
【請求項４】
前記切断線が、前記容器への貼付け状態では、容器側面に位置する、
請求項１ないし３のいずれかに記載の包装用フィルム。
【請求項５】
前記粘着部を両端辺に備えるとともに、前記切断線と摘み部とを一定ピッチごとに備えた原反シートから前記一定ピッチずつ分離されるものである、
請求項１ないし４のいずれかに記載の包装用フィルム。
【発明の詳細な説明】
【技術分野】
【０００１】
本発明は、例えば、苺詰めパックのように、果物や各種食品などの物品が収容された開放型の樹脂パッケージの開口部を覆ったり、あるいは、弁当の紙箱等の容器に掛け紙として使用するのに好適な包装用フィルムに関する。
【背景技術】
【０００２】
上記包装用フィルムとしては、例えば、特許文献１に示されているように、両端部に粘着面を備えたフィルム片を、物品が収容された容器の開口部に被せて、その両端部を容器の側面に貼り付けるようにしたものが知られている。
【先行技術文献】
【特許文献】
【０００３】
【特許文献１】特開平９−５８７４３号公報
【発明の概要】
【発明が解決しようとする課題】
【０００４】
上記包装用フィルムは、運搬中などにおいて容易に容器から外れてしまうことがないように、その両端辺が容器にしっかりと貼り付けられ、かつ、フィルム自体も簡単に破れたり、引き裂けることのない比較的強度の大きいものが用いられることが多い。このため、ユーザーが容器を開けるために包装用フィルムを剥がすことが難しく、包装用フィルムを切断するハサミやナイフがない場合には、往々にして、力を入れて引き剥がそうとしたり、無理に引き裂こうとする。しかし、無理に引き剥がしたり、引き裂こうとすると、不意に包装用フィルムが剥がれたり引き裂かれて、容器を大きく動かしてしまって、収容物が不用意に容器外へこぼれ出てしまうことがあった。
【０００５】
包装用フィルム、あるいは、これに類するフィルム類の切断には、種々のものが提案され実用化されている。例えば、タバコの包装においては、包装用フィルムの裏側に細紐状の引裂きテープを添設しておき、この引裂きテープの端部を持って引き回すことで、包装用フィルムを引裂きテープに添って切断するようにしている。また、各種食品や菓子などのフィルム製の収納袋においては、フィルム端辺の適所にＶ形のノッチを形成しておき、ここを切り裂きの起点にするようにしている。
【０００６】
しかしながら、タバコの包装のように、包装用フィルムが引裂きテープを備えた特殊なものでは、コストの高いものになる。また、フィルム製の収納袋に用いられるＶ形のノッチでは、開口部を有する容器の巻掛け包装に用いた場合、運搬中あるいは陳列された容器をユーザーが持上げたりする際に、巻き張られた包装用フィルムに手指が触れて、ノッチの端部に外力が働いて不用意に切断が開始してしまうおそれが多分にあり、実際の使用には不都合となる。
【０００７】
本発明は、このような実情に着目してなされたものであって、容器に巻掛け装着された包装用フィルムを簡単容易に切断して、収容物がこぼれ出すようなことなく開封できるようにすることを目的とする。
【課題を解決するための手段】
【０００８】
上記目的を達成するために、本発明では次のように構成している。
【０００９】
（１）本発明に係る包装用フィルムは、容器へ巻き掛けて、巻き掛け方向の端部に形成した粘着部を、前記容器外面に貼付ける包装用フィルムであって、
前記巻き掛け方向と交差する方向に延びる切断線と、該切断線の中間部位に連なる摘み部とを備え、
前記容器への貼付け状態では、前記摘み部が容器の端縁部分に位置するものである。
【００１０】
本発明によると、包装用フィルムを容器に巻き掛けて貼り付けると、容器の端縁部分に位置する摘み部が起き上がって飛び出た状態となる。開封時には、飛び出ている摘み部を摘んで引くことによって、切断線に沿った切断が摘み部の両脇に進行し、包装用フィルムが、巻き掛け方向と交差かる方向に切断される。
【００１１】
（２）本発明の好ましい実施態様では、前記容器への貼付け状態では、前記摘み部が、容器上部の端縁部分に位置するものである。
【００１２】
この実施態様によると、フィルム巻き掛けによって容器の上端縁部分の目に付きやすい位置に摘み部が飛び出ることになり、特に取り扱い説明などが表記されていなくても、ユーザーは摘み部を容易に見つけて開封操作を行うことができる。
【００１３】
また、切断線は、フィルム中間に在る摘み部の意識的な引き出し操作によって切断されるようにしてあるので、切断線に不用意に触れた程度では切断されることがなく、持ち運び中に誤って開封されてしまうような虞がない。
【００１４】
（３）本発明の他の実施態様では、前記切断線が、ミシン目であって、該ミシン目を山形に形成して、その頂部に前記摘み部が形成される。
【００１５】
この実施態様によると、摘み部を外方に引くだけで、その両脇のミシン目に沿った切断を円滑に進行させることができ、フィルム開封を迅速容易に行うことができる。
【００１６】
（４）本発明の更に他の実施態様では、前記切断線が、前記容器への貼付け状態では、容器側面に位置するものである。
【００１７】
この実施態様によると、容器上面においてミシン目等の切断線が露出せず、フィルム上面に装飾用の印刷などが施されていても、これを切断線で邪魔することがない。
【００１８】
（５）本発明の他の実施態様では、前記粘着部を両端辺に備えるとともに、前記切断線と摘み部とを一定ピッチごとに備えた原反シートから前記一定ピッチずつ分離されるものである。
【００１９】
この実施態様によると、包装用フィルムの供給が容易となり、手作業による貼り付け包装のみならず、貼り付け包装の自動化にも容易に対応できる。
【発明の効果】
【００２０】
本発明によれば、容器にしっかり貼り付けられた包装用フィルムを簡単容易に切断して、収容物がこぼれ出すようなことなく開封することができる。
【図面の簡単な説明】
【００２１】
【図１】容器とこれに巻き掛けられる包装用フィルムの斜視図である。
【図２】包装された容器の斜視図である。
【図３】要部の拡大した縦断正面図である。
【図４】包装用フィルムの原反シートを展開した裏面図である。
【図５】フィルム切り裂き状態の斜視図である。
【図６】開封した容器の斜視図である。
【図７】別実施形態における包装済み容器の斜視図である。
【図８】他の実施形態における包装済み容器の斜視図である。
【図９】他の容器に適用した実施形態の斜視図である。
【図１０】他の容器に適用した別実施形態の斜視図である。
【発明を実施するための形態】
【００２２】
以下、本発明の実施の形態について、図面を参照しながら説明する。
【００２３】
図１は、容器とこれを包装する本発明の実施形態に係る包装用フィルムの斜視図であり、図２は、包装用フィルムで容器を包装した状態の斜視図である。
【００２４】
この容器１は、透明樹脂シート素材を型成形して上方に開放された矩形の箱状に構成されたものであり、その開口部の四つの周辺には、フランジ部１ａが延出されている。
【００２５】
この実施形態の包装用フィルム２は、容器１の開口部全体を略覆う横幅と、容器１の底面にまで巻き付けるのに足る長さをもった透明樹脂フィルムであり、必要に応じて容器１に収容される商品名や装飾イラストなどがフィルム表面に印刷される。
【００２６】
また、包装用フィルム２の両端部の裏面には、粘着部３が全幅に亘って設けられており、容器１に巻き付けた包装用フィルム２の両端側を、容器底面にまで回し込んで、粘着部３を介して貼付け固定するように、包装用フィルム２の全長が容器１のサイズ（幅および高さ）に対応して設定されている。
【００２７】
包装用フィルム２は、図４に示すように、原反シート４を一定ピッチで形成された切断線ｃに沿って１枚ずつ切断分離して用いられるものである。この包装用フィルム２は、複数枚の包装用フィルム２を連設した長いシート状にして供給したり、ロール巻きした原反シートとして供給する。また、複数枚の包装用シート２を剥離台紙に貼り付けて供給することもできる。この場合、原反シート４を、粘着部３を介して剥離台紙に貼り付けた状態で、原反シート４だけを切断線ｃに沿ってハーフカット処理しておき、切断された包装用フィルム２を１枚ずつ剥離台紙からめくり取って包装処理するようにしてもよい。
【００２８】
包装用フィルム２の巻掛け方向の一端寄りの箇所には、包装用フィルム２を幅方向（巻き掛け方向と交差する方向）に横断する切断線としてのミシン目５が山形に形成されるとともに、その山形の頂部に舌片状の摘み部６が切り込み連設されている。
【００２９】
この例では、山形ミシン目５の頂部が、山裾側よりもフィルム長手方向（巻掛け方向）の中央側に位置する姿勢に形成されるとともに、前記摘み部６の基部が、容器１における長辺をなす一方のフランジ部１ａの端縁ｅに位置するように、包装用フィルム２を容器１に巻き掛ける。
【００３０】
これによると、商品７を収容した容器１に包装用フィルム２を巻き掛けて貼付け固定した包装状態においては、図２及び図３の拡大した縦断正面図に示すように、フィルム折り曲げに伴って摘み部６が、フランジ部１ａの端縁ｅにおいて自力で起き上がって突出することになる。
【００３１】
そして、包装を開封する場合には、図５に示すように、飛び出ている摘み部６を指先で摘んで外方下方に引っ張ることで、ミシン目５が中央部位から両脇に引き裂かれてゆき、容器１の側方において包装用フィルム２がその横幅方向に切断されることになる。これによって、図６に示すように、容器１の上方に被さっているフィルム部分を開いて容器１を大きく開放することができる。
【００３２】
なお、上端の開口部周辺に外向きのフランジ部１ａを備えた容器１では、包装フィルム２で包装した状態において、フランジ部１ａの先端と容器１の下端縁とに亘って掛け張られているフィルム部分、すなわち、容器１の側面から離間しているフィルム部分に手指を引っ掛けてしまうことがあり、その操作力がミシン目５の外端部に作用して、ここからの破れがきっかけで不所望に切断が進行するおそれがあるので、ミシン目５の切り込みは、包装用フィルム２の端辺に及ばないことが望ましい。
【００３３】
以上のように本実施形態の包装用フィルム２によれば、包装用フィルム２を容器１に巻き掛けて包装すると、容器１の端縁に位置する摘み部６が起き上がった状態となるので、開封時には、起き上がっている摘み部６を摘んで下方へ引き下げることで、ミシン目５に沿った切断が摘み部６の両脇に進行し、包装用フィルム２を簡単に切断して容器１を開放することができ、商品７を容器１外へこぼすようなことがない。
【００３４】
（他の実施形態）
本発明は、以下のような形態で実施することもできる。
【００３５】
（１）ミシン目５は必ずしも包装用フィルム２の横端辺にまで形成する必要はなく、横端辺からある程度離れた位置まで形成するだけでもよい。この場合、ミシン目５の外端から横端辺までは案内のない引き裂きを行うことになるが、摘み部６を摘んだままで大きく引っ張ることで、ミシン目５に沿った切断に引き続いて横端辺に向けての切り裂きが進行することになり、実用上は何ら支障がなく、むしろ、ミシン目５の外端から不所望な切り裂きが始まることを確実に防止できる。
【００３６】
このように、ミシン目５の外端部をフィルム端辺から離して、ミシン目外端部からの切り裂きを回避した形態では、図７に示すように、ミシン目５が容器１の上面に位置する形態で実施することもできる。この場合、摘み部６を摘んで切断したフィルム部分は、容器１の開口部を覆っているので、フィルム部分を持ち替える必要なく引き続いて開放操作することで、容器１を上方に大きく開放することができる。
【００３７】
（２）包装用フィルム２の粘着部３を容器１の底面に貼り付ける形態においては、図８に示すように、摘み部６を容器１における底部の端縁ｅの部分に位置させることも可能である。この場合、容器１を陳列台やテーブルなどに載置すると、摘み部６が容器１の下に敷き込まれることもあるが、容器１を持上げると摘み部６が容器１の端縁ｅから下向きに飛び出るので、容易に摘み部６を摘み持つことができ、かつ、摘み部６を摘んだままで切断したフィルム部分を大きく開くことができる。
【００３８】
（３）図９に示すように、本発明に係る包装用フィルムは、紙製弁当箱、折り詰め箱、菓子箱、などの蓋付きの容器１に巻き掛けて、蓋１ｂの閉じ保持と装飾を兼ねた掛け紙として使用することができる。また、この場合、包装用フィルム２は、全体が容器１の外面に密着されるので、ミシン目５の外端部が押されても引き裂き力が発生することはなく、従って、図１０に示すように、ミシン目５を容器１の上面に位置させる形態で実施することも可能である。
【００３９】
（４）巻き掛け方向と交差する方向に延びる切断線は、ミシン目５に限らず、スリットを並べたものの他に、小さい丸孔を小ピッチで並べたものや、Ｙ形の切り込みを並べたもの、など、フィルム素材の切裂き特性などに合わせて種々の仕様のものを任意に選択すればよい。
【符号の説明】
【００４０】
１              容器
２              包装用フィルム
３              粘着部
４              原反シート
５              ミシン目（切断線）
６              摘み部
ｅ              端縁
【図１】
2015009889.tif 000003
【図２】
2015009889.tif 000004
【図３】
2015009889.tif 000005
【図４】
2015009889.tif 000006
【図５】
2015009889.tif 000007
【図６】
2015009889.tif 000008
【図７】
2015009889.tif 000009
【図８】
2015009889.tif 000010
【図９】
2015009889.tif 000011
【図１０】
2015009889.tif 000012